(57)【特許請求の範囲】
【請求項１】
外周面が湯水を供給するための水栓の吐水管の外周面とほぼ面一となるキャップ本体と、このキャップ本体の下面側に設けられ、前記吐水管からの湯水を吐水するための吐水口部とからなり、前記キャップ本体の後端部に、前記吐水管の先端部の内側に挿入可能な小径部が設けられており、この小径部の外面に金属製の係止部材を装着し、この係止部材を吐水管に係止させることによってキャップ本体と吐水管とを連結するよう構成されている断熱キャップであって、
前記小径部は前記係止部材を装着するための切り欠き部を外面側に有しており、
前記係止部材は、縦断面がほぼ円弧状の板状体と、この板状体の上面に設けられた係止爪部とを有するとともに、
前記係止爪部は、前記板状体の中央部に切り込みを入れ、この切り込み部分を前記板状体の上面側へ持ち上げることで形成されており、さらに、前記係止爪部の一端部は前記板状体に連設された連設部となっており、
また、前記係止爪部は、上面側あるいは連設部側からの付勢によって、その上面を前記板状体の上面とほぼ面一とする程度にまで押し下げることが可能で、かつ、前記付勢が解除されると、再び元の形状となるように弾性を有しており、
キャップ本体と吐水管とを連結する際、
係止爪部の前記連設部が吐水管側にくるように切り欠き部に対して係止部材を装着した後、係止爪部を吐水管の先端部に設けられた貫通孔内に挿入させることにより、係止部材の吐水管に対する係止がなされるように構成されていることを特徴とする断熱キャップ。
【請求項２】
前記切り欠き部は、ほぼ平面状に形成された平面部と、前記小径部の周方向において前記平面部を挟む位置に設けられた二つの曲面部と、前記小径部の周方向において前記平面部および二つの曲面部を挟む位置に設けられた二つの溝部とからなる一方、
前記係止部材は、前記係止部材を切り欠き部へ装着するため切り欠き部の前記二つの溝部を両側から挟持可能に前記板状体の左右両端をそれぞれ下方に折り曲げることで形成された挟持部を有する請求項１に記載の断熱キャップ。
【発明の詳細な説明】
【０００１】
【発明の属する技術分野】
本発明は、水栓の断熱キャップに関する。
【０００２】
【従来の技術】
湯水を供給するための水栓の吐水管の先端部に取り付けられる従来の水栓の断熱キャップとして、図４に示すように、吐水管１９の先端部に外嵌されるキャップ本体２０と、このキャップ本体２０の下面から下向きに開設された吐水口部２１と、この断熱キャップを前記吐水管１９に抜け止め係止するための割り筒状の係止ピン２２とを有したものがある。
【０００３】
前記断熱キャップの取り付けは、前記キャップ本体２０を吐水管１９の先端部に外嵌した後、前記吐水口部２１の下方から前記係止ピン２２を挿入し、吐水管１９に設けられたピン孔２３と、このピン孔２３と軸芯が同一直線上にあり、前記吐水口部２１に設けられたピン挿通孔２４とにわたって係止ピン２２を挿通させることで行われる。
【０００４】
【発明が解決しようとする課題】
しかし、上記の構成からなる従来の断熱キャップでは、断熱キャップの取り付けの際に行う前記ピン孔２３およびピン挿通孔２４に対する係止ピン２２の挿通作業が困難であり、また、前記キャップ本体２０の外径が吐水管１９の外径よりも大きかったことから、洗練されたイメージなどが得られず、外観の面で劣るものとなっていた。
【０００５】
本発明は上述の事柄に留意してなされたもので、その目的は、吐水管に対して簡単に取り付けることができ、また、吐水管の外観を向上させることができる断熱キャップを提供することである。
【０００６】
【課題を解決するための手段】
上記目的を達成するために、本発明の断熱キャップは、外周面が湯水を供給するための水栓の吐水管の外周面とほぼ面一となるキャップ本体と、このキャップ本体の下面側に設けられ、前記吐水管からの湯水を吐水するための吐水口部とからなり、前記キャップ本体の後端部に、前記吐水管の先端部の内側に挿入可能な小径部が設けられており、この小径部の外面に金属製の係止部材を装着し、この係止部材を吐水管に係止させることによってキャップ本体と吐水管とを連結するよう構成されている断熱キャップであって、
前記小径部は前記係止部材を装着するための切り欠き部を外面側に有しており、
前記係止部材は、縦断面がほぼ円弧状の板状体と、この板状体の上面に設けられた係止爪部とを有するとともに、
前記係止爪部は、前記板状体の中央部に切り込みを入れ、この切り込み部分を前記板状体の上面側へ持ち上げることで形成されており、さらに、前記係止爪部の一端部は前記板状体に連設された連設部となっており、
また、前記係止爪部は、上面側あるいは連設部側からの付勢によって、その上面を前記板状体の上面とほぼ面一とする程度にまで押し下げることが可能で、かつ、前記付勢が解除されると、再び元の形状となるように弾性を有しており、
キャップ本体と吐水管とを連結する際、
係止爪部の前記連設部が吐水管側にくるように切り欠き部に対して係止部材を装着した後、係止爪部を吐水管の先端部に設けられた貫通孔内に挿入させることにより、係止部材の吐水管に対する係止がなされるように構成されていることを特徴としている（請求項１）。
【０００７】
また、前記切り欠き部は、ほぼ平面状に形成された平面部と、前記小径部の周方向において前記平面部を挟む位置に設けられた二つの曲面部と、前記小径部の周方向において前記平面部および二つの曲面部を挟む位置に設けられた二つの溝部とからなる一方、
前記係止部材は、前記係止部材を切り欠き部へ装着するため切り欠き部の前記二つの溝部を両側から挟持可能に前記板状体の左右両端をそれぞれ下方に折り曲げることで形成された挟持部を有するとしてもよい（請求項２）。
【０００８】
上記の構成により、吐水管に対して簡単に取り付けることができ、また、吐水管の外観を向上させることができる断熱キャップを提供することができる。
【０００９】
【発明の実施の形態】
以下、この発明の実施例を、図を参照しながら説明する。
図１は、本発明の第一実施例に係る断熱キャップＤの構成を概略的に示す説明図であり、図２は、前記断熱キャップＤの構成を概略的に示す縦断面図である。  断熱キャップＤは、図１に示すように、湯水を供給するための水栓１の吐水管２の先端部に取り付けられるものであり、外周面が前記吐水管２の外周面とほぼ面一となるキャップ本体３と、このキャップ本体３の下面側に設けられ、前記吐水管２からの水または混合水を吐水するための吐水口部４と、前記キャップ本体３の後端部の外周面に装着することが可能な金属製の係止部材５とからなる。
【００１０】
前記水栓１は、たとえば水または温度調整された混合水を供給するための湯水混合栓であり、図示しない給水パイプおよび給湯パイプからの水および湯が内部で適宜に混合される水栓本体１ａと、この水栓本体１ａから送られてきた水または温度調整された混合水を吐出するための前記吐水管２と、前記水栓本体１ａから吐水管２に送られる混合水の温度および流量を調整するための調整レバー１ｂとからなり、この調整レバー１ｂを左右方向および上下方向に回動操作することで、吐水管２に送られる混合水の温度および流量を調整することができる。
【００１１】
前記吐水管２は、筒形状（たとえば円筒形状）の部材であり、その先端側ほど高くなるように傾斜をつけた状態で、前記水栓本体１ａに固定されている。また、吐水管２の先端部の下面側には、後述する係止部材を係止させるための貫通孔２ａが形成されている。なお、吐水管２が水平方向となる状態で前記水栓本体１ａに固定されていてもよい。
【００１２】
前記キャップ本体３は、たとえばほぼ円筒形状の筒部６と、この筒部６の前側の開口を閉塞する前壁部７とからなり、前記筒部６の軸心が、前記吐水管２の軸心と同一直線上にあるように前記吐水管２に連結される。また、前記筒部６の前端部の下面側には、図２に示すように、貫通孔８が設けられており、この貫通孔８の周辺部から鉛直下向きに前記吐水口部４が連設されている。さらに、前記筒部６の後端部には、前記吐水管２の先端部の内側に挿入可能であって、吐水管２の先端部の内周面に当接させることが可能な外周面を有する小径部６ａが形成されている。なお、本実施例では、前記吐水管２が先端側ほど高くなるように傾斜をつけた状態で水栓本体１ａに固定されており、前記キャップ本体３も前記吐水管２と同じ角度の傾斜がつけられた状態で吐水管２に連結される。
【００１３】
図３（Ａ）は、キャップ本体３の構成を概略的に示す縦断端面図である。
前記小径部６ａの下面側には、前記係止部材５を装着するための切り欠き部９が設けられており、この切り欠き部９は、ほぼ平面状に形成された平面部９ａと、前記小径部６ａの周方向において前記平面部９ａを挟む位置に設けられた二つの曲面部９ｂ，９ｂと、前記小径部６ａの周方向において前記平面部９ａおよび二つの曲面部９ｂ，９ｂを挟む位置に設けられた二つの溝部９ｃ，９ｃとからなる。また、小径部６ａの後部には、図２に示すように、凹入部２５が形成されており、この凹入部２５内にはシール部材であるＯリング２６が嵌め込まれている。
【００１４】
前記吐水口部４には、Ｏリング１０を介して整流器本体１１が螺着されており、また、吐水口部４の内部には、第一整流板１２が設けられている。
【００１５】
前記整流器本体１１の内部には、上流側から順に、第一網状体１３、第二整流板１４、第二網状体１５が設けられており、その下端部には、開口部１６が形成されている。
【００１６】
上記の構成からなる整流器本体１１を前記吐水口部４に取り付けたことにより、吐水管２から吐水口部４に向けて流れ込む乱流状態の水（又は湯）は、まず、第一整流板１２によって一次整流された後、この第一整流板１２と前記第一網状体１３の間に形成された第一空間１７に至り、この第一空間１７において流速が低下し、かつ、減圧されることにより水流が緩衝される。そして、第一網状体１３によって満遍なく抵抗が与えられ、水流が緩衝されることによって、さらに乱流成分が低減され水の流れが均一化される。さらに、その後、第二整流板１４によって二次整流されることで整流化がほぼ達成され、その下流側の第二空間１８において減圧緩衝されるとともに、第二網状体１５によっても緩衝されることにより、残っていた乱流成分が低減除去され、かつ、流れが均一化され、旋回流や飛沫のない安定した整流となった状態で開口部１６から吐出することができる。
【００１７】
図３（Ｂ）は、断熱キャップＤの取り付けの構成を概略的に示す斜視図である。
前記係止部材５は、たとえばプレス加工によって成形された金具であり、図３（Ａ）および（Ｂ）に示すように、正面視（縦断面）がほぼ円弧形状の板状体５ａと、この板状体５ａの左右両端に形成された挟持部５ｂ，５ｂと、前記板状体５ａの上面に設けられた係止爪部５ｃとからなる。
【００１８】
前記挟持部５ｂ，５ｂは、前記板状体５ａの左右両端をそれぞれ下方に折り曲げることで形成されている。
【００１９】
前記係止爪部５ｃは、前記板状体５ａの中央部に切り込みを入れ、この切り込み部分を上側へ持ち上げることで形成されており、係止爪部５ｃの一端部（後端部）は前記板状体５ａに連設された連設部５ｄとなっている。また、前記係止爪部５ｃは、適宜の弾性を有しており、上側や連設部側（後側）からの付勢によって、その上面を前記板状体５ａの上面とほぼ面一とする程度にまで押し下げることが可能となっているとともに、前記付勢が解除されると、再び元の形状となるように構成されている。なお、係止爪部５ｃに対する前記連設部の反対側（前側）からの付勢では、係止爪部５ｃを押し下げることができず、逆に係止爪部５ｃを持ち上げることとなる。
【００２０】
次に、上記の構成からなる断熱キャップＤの取り付け方について説明する。
断熱キャップＤを吐水管２に取り付けるには、まず、前記係止部材５をキャップ本体３の切り欠き部９に装着し、次いでキャップ本体３の小径部６ａを吐水管２の先端部の内側へ挿入させて、前記係止部材５の係止爪部５ｃを吐水管２の先端部に設けられた貫通孔２ａ内に挿入させるだけでよく、これにより、係止部材５ｃの吐水管２に対する係止がなされて、キャップ本体３と吐水管２とが連結されることとなり、断熱キャップＤの取り付けが完了する。
【００２１】
なお、前記係止部材５の切り欠き部９への装着は、前記挟持部５ｂ，５ｂを、前記小径部６ａに設けられた前記切り欠き部９の二つの溝部９ｃ，９ｃ内にそれぞれ挿入することで行われ、これにより、挟持部５ｂ，５ｂが二つの溝部９ｃ，９ｃを両側から挟持することになる。また、前記係止爪部５ｃの連設部５ｄがキャップ本体３の後端部側にくるように切り欠き部９に対して係止部材５を装着することで、係止爪部５ｃが、前記貫通孔２ａに対して係止させやすく、かつ係止が外れにくいものとなる。
【００２２】
上記のように吐水管２に取り付けられた断熱キャップＤを取り外すには、貫通孔２ａに係止された係止爪部５ｃを吐水管２の内側へ押し込むことによって、貫通孔２ａに対する係止爪部５ｃの係止を解除し、次いでキャップ本体３を吐水管２から引き抜くだけでよい。
【００２３】
上記の構成からなる断熱キャップＤでは、吐水管２に対する取り付け作業および吐水管２からの取り外し作業を簡単に行え、また、吐水管２の外周面とキャップ本体３の外周面とが面一となっていることから、断熱キャップＤを取り付けた状態の吐水管２の外観がスマートで洗練されたものとなる。そのため、本発明の断熱キャップＤは、特に、外観の面で優れた吐水管が要求される場所や建物（たとえば高級ホテルや高級レストランなど）において用いられる場合に好適である。さらに、吐水管２に取り付けられた状態の断熱キャップＤが吐水管２内の湯水の流れをほとんど妨げることないため、断熱キャップＤの吐水口部４から前記湯水の吐出をスムーズに行うことができる。
【００２４】
【発明の効果】
上記の構成からなる本発明によれば、吐水管に対して簡単に取り付けることができ、また、吐水管の外観を向上させることができる断熱キャップを提供することができる。
【図面の簡単な説明】
【図１】  本発明の第一実施例に係る断熱キャップの構成を概略的に示す説明図である。
【図２】  上記実施例の構成を概略的に示す縦断面図である。
【図３】  （Ａ）は、上記実施例におけるキャップ本体の構成を概略的に示す縦断端面図であり、（Ｂ）は、上記実施例の取り付けの構成を概略的に示す斜視図である。
【図４】  従来の断熱キャップの構成を概略的に示す縦断面図である。
【符号の説明】
１…水栓、２…吐水管、２ａ…貫通孔３…キャップ本体、４…吐水口部、５…係止部材、５ａ…板状体、５ｃ…係止爪部、５ｄ…連設部、６ａ…小径部、９…切り欠き部、Ｄ…断熱キャップ。
【図１】
0004456219.tif 000002
【図２】
0004456219.tif 000003
【図３】
0004456219.tif 000004
【図４】
0004456219.tif 000005